(57)【要約】【課題】低コストで、互いに対応していない前枠と遊技盤とを組み合わせて使用することを禁止することが可能な弾球遊技機を提供する。【解決手段】前枠３に着脱自在に装着される遊技盤６を備え、遊技盤６を前枠３に装着するときに、遊技盤６側の盤側コネクタ７２ａ〜７２ｄが前枠３側の枠側コネクタ７４ａ〜７４ｄに着脱自在に接続される弾球遊技機で、例えば前枠３上における枠側コネクタ７４ａ〜７４ｄの近傍に凸状の挿入部１２６を設け、遊技盤６上における盤側コネクタ７２ａ〜７２ｄの近傍に挿入部１２６に対応する被挿入部９５を設け、被挿入部９５がなければ挿入部１２６の干渉により遊技盤６を前枠３に装着できないように構成する。【選択図】図２０
2015000143.tif 000002
【特許請求の範囲】
【請求項１】
前枠に着脱自在に装着される遊技盤を備え、
前記遊技盤を前記前枠に装着するときに、前記遊技盤側の盤側コネクタが前記前枠側の枠側コネクタに着脱自在に接続される
弾球遊技機において、
前記前枠上における前記枠側コネクタの近傍又は前記遊技盤上における前記盤側コネクタの近傍に凸状の挿入部を設け、
前記遊技盤上における前記盤側コネクタの近傍又は前記前枠上における前記枠側コネクタの近傍に前記挿入部に対応する被挿入部を設け、
前記被挿入部がなければ前記挿入部の干渉により前記遊技盤を前記前枠に装着できないように構成した
ことを特徴とする弾球遊技機。
【請求項２】
前記被挿入部を設けた前記遊技盤上又は前記前枠上に凸状の第２挿入部を設け、
前記挿入部を設けた前記前枠上又は前記遊技盤上に前記第２挿入部に対応する第２被挿入部を設け、
前記第２被挿入部がなければ前記第２挿入部の干渉により前記遊技盤を前記前枠に装着できないように構成した
ことを特徴とする請求項１に記載の弾球遊技機。
【請求項３】
前記前枠側又は前記遊技盤側の第１部材上に前記被挿入部と前記第２挿入部とを設け、
前記遊技盤側又は前記前枠側の第２部材上に前記挿入部と前記第２被挿入部とを設けた
ことを特徴とする請求項２に記載の弾球遊技機。
【請求項４】
前記被挿入部の近傍に前記第２挿入部を設け、
前記挿入部の近傍に前記第２被挿入部を設けた
ことを特徴とする請求項２又は３に記載の弾球遊技機。
【請求項５】
前記第２被挿入部の縁部に沿って前記挿入部を設け、
前記第２挿入部の縁部に沿って前記被挿入部を設けた
ことを特徴とする請求項４に記載の弾球遊技機。
【発明の詳細な説明】
【技術分野】
【０００１】
本発明は、パチンコ機、アレンジボール機等の弾球遊技機に関するものである。
【背景技術】
【０００２】
パチンコ機等の弾球遊技機では、遊技盤側に盤側コネクタを、前枠側にその盤側コネクタに対応する枠側コネクタをそれぞれ配置し、遊技盤を前枠に装着する際に、盤側コネクタが枠側コネクタに着脱自在に接続されるようにしたものが知られている（特許文献１）。
【先行技術文献】
【特許文献】
【０００３】
【特許文献１】特許第５０２２４０４号公報
【発明の概要】
【発明が解決しようとする課題】
【０００４】
ところで、最近では基本的構成を共通にする弾球遊技機が異なるブランドで発売される場合がある。このような場合、所定ブランドの前枠に対して他のブランドの遊技盤を装着できるとすれば種々の混乱を招く可能性があるため、そのような組み合わせで使用することはできないようにする必要がある。しかしながらそのために、例えば兄弟ブランド間でコネクタの配置等の基本仕様を大きく異ならせると、例えば共通化できない専用部品が増加する等、コスト増となる問題がある。
【０００５】
本発明は上記事情に鑑みてなされたものであり、低コストで、互いに対応していない前枠と遊技盤とを組み合わせて使用することを禁止することが可能な弾球遊技機を提供することを目的とする。
【課題を解決するための手段】
【０００６】
本発明は、前枠３に着脱自在に装着される遊技盤６を備え、前記遊技盤６を前記前枠３に装着するときに、前記遊技盤６側の盤側コネクタ７２ａ〜７２ｄが前記前枠３側の枠側コネクタ７４ａ〜７４ｄに着脱自在に接続される弾球遊技機において、前記前枠３上における前記枠側コネクタ７４ａ〜７４ｄの近傍又は前記遊技盤６上における前記盤側コネクタ７２ａ〜７２ｄの近傍に凸状の挿入部１２６を設け、前記遊技盤６上における前記盤側コネクタ７２ａ〜７２ｄの近傍又は前記前枠３上における前記枠側コネクタ７４ａ〜７４ｄの近傍に前記挿入部１２６に対応する被挿入部９５を設け、前記被挿入部９５がなければ前記挿入部１２６の干渉により前記遊技盤６を前記前枠３に装着できないように構成したものである。
【０００７】
また、前記被挿入部９５を設けた前記遊技盤６上又は前記前枠３上に凸状の第２挿入部９４を設け、前記挿入部１２６を設けた前記前枠３上又は前記遊技盤６上に前記第２挿入部９４に対応する第２被挿入部１２５を設け、前記第２被挿入部１２５がなければ前記第２挿入部９４の干渉により前記遊技盤６を前記前枠３に装着できないように構成してもよい。
【０００８】
この場合、前記前枠３側又は前記遊技盤６側の第１部材８４上に前記被挿入部９５と前記第２挿入部９４とを設け、前記遊技盤６側又は前記前枠３側の第２部材１０６上に前記挿入部１２６と前記第２被挿入部１２５とを設けてもよい。
【０００９】
また、前記被挿入部９５の近傍に前記第２挿入部９４を設け、前記挿入部１２６の近傍に前記第２被挿入部１２５を設けてもよい。この場合、前記第２被挿入部１２５の縁部に沿って前記挿入部１２６を設け、前記第２挿入部９４の縁部に沿って前記被挿入部９５を設けてもよい。
【発明の効果】
【００１０】
本発明によれば、低コストで、互いに対応していない前枠と遊技盤とを組み合わせて使用することを禁止することが可能である。
【図面の簡単な説明】
【００１１】
【図１】本発明の一実施形態におけるパチンコ機の全体斜視図である。
【図２】同パチンコ機の外枠、前枠及び遊技盤の正面図である。
【図３】同パチンコ機の背面図である。
【図４】同パチンコ機の平面断面図である。
【図５】同パチンコ機の前枠の斜視図である。
【図６】同パチンコ機の前枠の斜視図である。
【図７】同パチンコ機の遊技盤の背面図である。
【図８】同パチンコ機の遊技盤着脱時の動作説明図である。
【図９】同パチンコ機の盤側ジョイント部の斜視図である。
【図１０】同パチンコ機の盤側ジョイント部の分解斜視図である。
【図１１】同パチンコ機の盤側ジョイント部の背面図である。
【図１２】同パチンコ機の盤側ジョイント部の平面断面図である。
【図１３】同パチンコ機の盤側ジョイント部の側面断面図である。
【図１４】同パチンコ機の枠側ジョイント部の分解斜視図である。
【図１５】同パチンコ機の枠側コネクタユニットの分解斜視図である。
【図１６】同パチンコ機の枠側ジョイント部のコネクタ着脱方向に対する正面図である。
【図１７】同パチンコ機の枠側ジョイント部の平面断面図である。
【図１８】同パチンコ機の枠側ジョイント部のコネクタ着脱方向に対する側面断面図である。
【図１９】同パチンコ機の枠側挿入部と盤側被挿入部、盤側挿入部と枠側被挿入部の各嵌め合い状態を示す斜視図である。
【図２０】同パチンコ機の枠側挿入部と盤側被挿入部、盤側挿入部と枠側被挿入部の各嵌め合い状態を示す平面断面図である。
【図２１】枠側挿入部を有する前枠に盤側被挿入部を有しない遊技盤を装着しようとした場合の説明図である。
【図２２】盤側挿入部を有する遊技盤を枠側被挿入部を有しない前枠に装着しようとした場合の説明図である。
【図２３】枠側挿入部及び枠側被挿入部を有しない前枠に、盤側挿入部及び盤側被挿入部を有しない遊技盤を装着した状態を示す説明図である。
【発明を実施するための形態】
【００１２】
以下、本発明の実施形態を図面に基づいて詳述する。図１〜図２３は本発明をパチンコ機に採用した一実施形態を例示している。図１において、遊技機本体１は、矩形状の外枠２と、この外枠２の前側に開閉自在に枢着された前枠３とを備えている。
【００１３】
前枠３は例えば合成樹脂製で、図２、図４〜図６等に示すように、外枠２の前端面に当接する矩形状の枠部４と、この枠部４の内側下部に配置される下部装着部３ａと、枠部４の内側上部に配置される上部装着部３ｂとを一体に備え、下部装着部３ａに発射手段５等が配置され、上部装着部３ｂには遊技盤６が着脱自在に装着されている。枠部４は上下一対の横枠部４ａ，４ｂと、左右一対の縦枠部４ｃ，４ｄとで構成されており、前枠３はその左右一端側、例えば左縦枠部４ｃ側に設けられた上下方向のヒンジ７により外枠２に着脱、開閉自在に枢支されている。
【００１４】
前枠３の前側には、下部装着部３ａに対応する前面開閉板９と、上部装着部３ｂに対応するガラス扉１０とがヒンジ７と同じ側のヒンジ１１により開閉自在に枢支されている。前面開閉板９には、その前側に、発射手段５に供給するための遊技球を貯留する供給皿１２、発射手段５を作動させるための発射ハンドル１３等が設けられている。
【００１５】
ガラス扉１０は、図１、図４等に示すように、遊技盤６上の遊技領域６ａ（図２）を透視可能なガラス窓１４の窓孔を有する例えば板金製の扉枠１５と、この扉枠１５の前側に装着された合成樹脂製の化粧カバー１６と、扉枠１５の裏側に装着されたガラスユニット１７とを備え、前枠３側に閉じたとき、扉枠１５の外縁側が上横枠部４ａ及び左右の縦枠部４ｃ，４ｄの前側に略当接すると共に、ガラスユニット１７がその内側に位置するようになっている。ガラスユニット１７は、前後二枚のガラス板１８と、この二枚のガラス板１８を外周で保持する合成樹脂製の保持枠１９とで構成されており、扉枠１５の裏側に着脱自在に装着されている。
【００１６】
下部装着部３ａは、下横枠部４ｂの上側に沿って例えば横長状に形成されており、図２に示すようにその前側の例えば左右方向略中央に発射手段５が配置され、前面開閉板９側の供給皿１２から発射手段５に発射用の遊技球が供給されるようになっている。発射手段５は、板金製の支持板２１と、この支持板２１の前面に装着された発射レール２２と、支持板２１の前面で前後方向の駆動軸廻りに揺動自在に支持された打撃槌２３と、支持板２１の裏側に装着され且つ打撃槌２３を打撃方向に駆動するロータリソレノイド等の発射駆動手段２４等を備え、発射ハンドル１３が操作された場合に、発射駆動手段２４により打撃槌２３を打撃方向（時計廻り）に間欠的に駆動することにより、供給皿１２から発射レール２２上に供給された遊技球を発射レール２２に沿って打撃して遊技盤６側に発射させるようになっている。
【００１７】
また、発射手段５の左側には、後述の払い出し手段６３（図３参照）から払い出された遊技球を前面開閉板９側の供給皿１２に排出するための払い出し口２５等が、右側には下部スピーカ２６等が夫々配置されている。下部スピーカ２６はスピーカユニット２７と、このスピーカユニット２７を収容するスピーカボックス２８とで構成されており、下部装着部３ａに後ろ向きの凹入状に形成された収容部２９（図５，図６参照）内に着脱自在に装着されている。
【００１８】
上部装着部３ｂは、図２，図５，図６に示すように、枠部４の内側で且つ下部装着部３ａの上側に配置され、外枠２の内側に嵌合可能な後ろ向き膨出状に形成されており、その前部に遊技盤６を装着可能な遊技盤装着枠３０が設けられている。また、上部装着部３ｂにおける遊技盤装着枠３０よりも後側が遊技盤６の後部側を略覆う後部ケース３１となっている。
【００１９】
遊技盤６はベニヤ板等により略矩形状に形成されており、図２に示すように、その前面側には発射手段５により発射された遊技球を遊技領域６ａの上部側に案内する外レール３３ａと、遊技領域６ａの周囲を規定する周壁の少なくとも一部を構成する内レール３３ｂとが立設されると共に、遊技領域６ａ内には略中央に画像表示手段を備えたセンターケース３４ａの他、通過ゲート３４ｂ、開閉式入賞手段３４ｃ、大入賞手段３４ｄ、普通入賞手段３４ｅ等の各種遊技部品が装着されている。
【００２０】
外レール３３ａ及び内レール３３ｂはガイドレールを構成するもので、外レール３３ａは遊技盤６の下部側の左右方向略中央位置又はそれよりも若干左寄りの位置から遊技盤６の左端側及び上端側を経て右上部側まで略円弧状に配置され、内レール３３ｂは遊技盤６の左上方から下部側の左右方向略中央まで外レール３３ａに並行するようにその内側に配設され、更にそのまま遊技盤６の右縁部近傍まで略円弧状に延設されている。また遊技盤６の右端部には、外レール３３ａと内レール３３ｂの端部間を連結する略円弧状の連結レール部４０ａを備えた例えば合成樹脂製の装飾部材４０が配置されている。
【００２１】
遊技盤６の裏面側には、図４，図７に示すように、センターケース３４ａ等の遊技部品を後側から覆う裏カバー３５が装着され、この裏カバー３５の背面側に、主制御基板３６ａが格納された主基板ケース３６、演出制御基板３７ａが格納された演出基板ケース３７、液晶制御基板３８ａが格納された液晶基板ケース３８等が着脱自在に装着されている。
【００２２】
裏カバー３５は、上部側の上部カバー３５ａと下部側の集球ケース３５ｂとで構成されており、これら上部カバー３５ａと集球ケース３５ｂは遊技盤６の裏面に個別に装着されている。集球ケース３５ｂは下部側に排出口３９を備え、大入賞手段３４ｄ等に入賞して遊技盤６の裏側に案内された遊技球を排出口３９側に誘導して下向きに排出するように構成されている。なお、演出基板ケース３７、液晶基板ケース３８は例えば上部カバー３５ａの裏側に装着され、主基板ケース３６は例えば集球ケース３５ｂの裏側に装着されている。
【００２３】
遊技盤装着枠３０は、図２，図４〜図６等に示すように、上横枠部４ａの内周側に設けられる上支持枠４１、下部装着部３ａの上縁側に設けられる下支持枠４２、左縦枠部４ｃの内周側に設けられる左支持枠４３、右縦枠部４ｄの内周側に設けられる右支持枠４４により、遊技盤６を前側から着脱できるように前面側が開放された矩形状に形成されている。上下左右の支持枠４１〜４４は、夫々遊技盤６をその上下左右の縁部又はその近傍において支持するもので、遊技盤６の外周面に沿って配置される周壁部４１ａ〜４４ａと、遊技盤６の背面に沿って配置される後壁部４１ｂ〜４４ｂとを夫々備えている。
【００２４】
また支持枠４１〜４４のうちの一つ、例えばヒンジ１１が配置された左支持枠４３側には、例えば周壁部４３ａから遊技盤６の前面側に沿って突設される前係合部４３ｃと、例えば後壁部４３ｂ上又はその内周側に配置され且つ遊技盤６の端部（左端部）を前側の前係合部４３ｃ側に付勢する板ばね等よりなる付勢手段４３ｄとが設けられており、遊技盤６の左縁部をその外周面側及び前後両面側の三方から挟み込み、付勢手段４３ｄにより前側、即ち前係合部４３ｃ側に押圧して支持するようになっている。
【００２５】
遊技盤装着枠３０には、遊技盤装着枠３０に前側から装着された遊技盤６を解除可能に固定する複数、例えば上下２つのロック手段４５，４６が前係合部４３ｃとは反対の端部側に対応して設けられており、このロック手段４５，４６により遊技盤装着枠３０内で遊技盤６を基準位置Ｏ側へと押圧して固定するようになっている。
【００２６】
基準位置Ｏは、発射手段５から発射された遊技球が遊技盤６の外レール３３ａ側へと入る始端側、即ち遊技盤装着枠３０の４つの隅部のうち、下部側で且つ前係合部４３ｃ側の隅部に設定されている。従って、遊技盤６を遊技盤装着枠３０に装着する場合には、基準位置Ｏを基準にして遊技盤６の左縁部を遊技盤装着枠３０内に挿入した後、遊技盤６の左縁部を前係合部４３ｃに係合させて、その係合部分を支点位置Ｐ（図４参照）として回動させながら遊技盤６の右側を遊技盤装着枠３０内へと後向きに押し込み、また遊技盤６を取り外す場合には、逆に支点位置Ｐ廻りに遊技盤６の右側を前向きに引き出せばよい。
【００２７】
後部ケース３１は、図４〜図６に示すように、遊技盤６の裏側の裏カバー３５の外周面に沿って配置される上下左右の周壁部５０〜５３で構成され、その周壁部５０〜５３の後端に裏カバー３５の背面に沿って後壁部５４が設けられている。後壁部５４には、その略中央に遊技盤６の裏側の基板ケース３６〜３８等が嵌合する開口部５５が設けられると共に、この開口部５５を後側から開閉可能に覆う開閉カバー５６（図３参照）が着脱自在に装着されている。
【００２８】
後部ケース３１の下周壁部５１には、集球ケース３５ｂの排出口３９（図７参照）に対応する切り欠き部５７と、遊技領域６ａの下部のアウト口５８（図２参照）から遊技盤６の裏側に案内された遊技球を切り欠き部５７側に誘導する傾斜案内部５９とが設けられている。
【００２９】
後部ケース３１の背面側には、図３に示すように、開口部５５の上側に遊技球タンク６０とタンクレール６１とを備えた遊技球タンクユニット６２が、また開口部５５の左右一側に払い出し手段６３と払い出し通路６４とを備えた払い出しユニット６５が、それぞれ着脱自在に装着されており、遊技球が大入賞手段３４ｄ等の入賞口に入賞したとき、又は図外の自動球貸し機から球貸し指令があったときに、遊技球タンク６０内の遊技球をタンクレール６１を経て払い出し手段６３により払い出し、その遊技球を払い出し通路６４、払い出し口２５を経て供給皿１２に案内するようになっている。
【００３０】
また後部ケース３１の下側で且つ下部装着部３ａの背面側には、基板装着台６６が着脱自在に装着されており、この基板装着台６６の背面側に、例えば電源基板６７が格納された電源基板ケース６８と、払い出し制御基板６９が格納された払い出し基板ケース７０とが着脱自在に装着されている。
【００３１】
遊技盤６の裏側には、図７等に示すように盤側コネクタ７２ａ〜７２ｄを有する盤側ジョイント部７３が、前枠３の後部側には、図６等に示すように枠側コネクタ７４ａ〜７４ｄを有する枠側ジョイント部７５が夫々前後に対応して設けられており、遊技盤６を前枠３に対して着脱するときに、盤側ジョイント部７３の盤側コネクタ７２ａ〜７２ｄと枠側ジョイント部７５の枠側コネクタ７４ａ〜７４ｄとが着脱して、前枠３側と遊技盤６側との電気系統が一括して接続／切断されるようになっている。なお、盤側コネクタ７２ａ〜７２ｄと枠側コネクタ７４ａ〜７４ｄは系統別に複数組（ここでは４組）設けられている。
【００３２】
盤側コネクタ７２ａ〜７２ｄは、それぞれ中継コネクタ７６ａ〜７６ｄ及びハーネス７７ａ〜７７ｄ（図１１参照）を介して例えば主制御基板３６ａの信号出力部、同じく電源部、演出制御基板３７ａの演出信号出力部、液晶制御基板３８ａの電源部に接続されている。また、枠側コネクタ７４ａ〜７４ｄは、例えば払い出し制御基板６９、電源基板６７、装飾制御基板（図示省略）、電源基板６７に接続されている。
【００３３】
これら盤側コネクタ７２ａ〜７２ｄ、枠側コネクタ７４ａ〜７４ｄがそれぞれ装着された盤側ジョイント部７３と枠側ジョイント部７５とは、図４に示すように、遊技盤６の着脱時の支点位置Ｐと反対の端部側で遊技盤６及び遊技盤装着枠３０に前後に相対応して装着されると共に、支点位置Ｐからの水平距離が遠いほど遊技盤６の盤面からの距離が大きくなるように傾斜状に配置されている。そして、支点位置Ｐ廻りに回動させながら遊技盤６を遊技盤装着枠３０に対して着脱するときに、盤側コネクタ７２ａ〜７２ｄと枠側コネクタ７４ａ〜７４ｄとが、その支点位置Ｐを中心とする円の略接線方向（以下、「コネクタ着脱方向」という）に着脱するようになっている。なお、図８は、遊技盤６を遊技盤装着枠３０に装着する場合における盤側コネクタ７２ａ〜７２ｄと枠側コネクタ７４ａ〜７４ｄとが接続される直前の状態、又は遊技盤６を遊技盤装着枠３０から取り外す場合における盤側コネクタ７２ａ〜７２ｄと枠側コネクタ７４ａ〜７４ｄとの接続が解除された直後の状態を示している。
【００３４】
盤側ジョイント部７３は、図７，図９〜図１３に示すように、遊技盤６の裏部材である集球ケース３５ｂの一側下部に形成された傾斜段部８２の裏面側に配置されている。即ち、集球ケース３５ｂは、後方へと膨出する膨出部８１と、この膨出部８１の一側下部（ここでは右側下部）で遊技盤６の下隅の近傍に配置され且つ膨出部８１よりも小さい膨出幅で段状に形成された傾斜段部８２とを備え、その傾斜段部８２の背面側の傾斜面８２ａに、盤側コネクタ７２ａ〜７２ｄ及び中継コネクタ７６ａ〜７６ｄが装着された中継基板８３ａ〜８３ｃとコネクタカバー８４とよりなる盤側ジョイント部７３が配置されている。
【００３５】
傾斜段部８２の傾斜面８２ａと中継基板８３ａ〜８３ｃとは前後に近接しており、図４等に示すように、傾斜面８２ａと中継基板８３ａ〜８３ｃとの一方が遊技盤６の前面左縁部、即ち支点位置Ｐ又はその近傍を通る直線上に配置され、他方がそれに近接して略平行に配置されている。即ち、傾斜面８２ａは支点位置Ｐに近い内縁側よりも支点位置Ｐから遠い外縁側の方が遊技盤６からの距離が大きい傾斜状に設けられており、この傾斜面８２ａの左側に膨出部８１の側壁８１ａが、上側に膨出部８１の下壁８１ｂがそれぞれ近接している。
【００３６】
盤側コネクタ７２ａ〜７２ｄは、その先端形状が横長となる横向きの状態で上下方向に配列され、中継基板８３ａ〜８３ｃの裏面における左右方向一端側（ここでは側壁８１ａから遠い右端側）に固定されている。また、中継コネクタ７６ａ〜７６ｄは、その先端形状が横長となる横向きの状態で上下方向に配列され、中継基板８３ａ〜８３ｃの裏面における左右方向他端側（ここでは側壁８１ａに近い左端側）に固定されている。なお、中継基板８３ａ〜８３ｃはそれぞれ横長矩形状に形成されており、盤側コネクタ７２ａ，７２ｂ及び中継コネクタ７６ａ，７６ｂが中継基板８３ａ上に、盤側コネクタ７２ｃ及び中継コネクタ７６ｃが中継基板８３ｂ上に、盤側コネクタ７２ｄ及び中継コネクタ７６ｄが中継基板８３ｃ上にそれぞれ配置されている。
【００３７】
各中継基板８３ａ〜８３ｃは、図１０に示すように傾斜面８２ａ上に区画して形成された各基板取り付け部８６ａ〜８６ｃに後側から嵌め込まれ、その内周に沿って設けられた複数の受け部８７に後側から当接した状態でネジ８８（図１１，図１２参照）とコネクタカバー８４とにより傾斜面８２ａに着脱自在に固定されている。各中継コネクタ７６ａ〜７６ｄには、図１１に示すようにハーネス７７ａ〜７７ｄが着脱自在に接続されている。
【００３８】
コネクタカバー（第１部材）８４は、中継コネクタ７６ａ〜７６ｄに接続されたハーネス７７ａ〜７７ｄが盤側コネクタ７２ａ〜７２ｄ側にはみ出さないように案内するためのもので、また各中継基板８３ａ〜８３ｃを傾斜面８２ａ側に固定する基板押えを兼用している。
【００３９】
このコネクタカバー８４は、盤側コネクタ７２ａ〜７２ｄと中継コネクタ７６ａ〜７６ｄとの間を左右に仕切るように各中継基板８３ａ〜８３ｃに跨がって上下方向に配置され且つ中継基板８３ａ〜８３ｃ側から後方に突出するカバー壁９０と、このカバー壁９０の上下両端側から側壁８１ａ側に向けて略水平に突設された一対の端部壁９１と、カバー壁９０から側壁８１ａ側に向けて略水平に突設され且つ一対の端部壁９１間を各中継コネクタ７６ａ〜７６ｄ毎に上下方向に仕切る１又は複数（ここでは３つ）の仕切壁９２と、それら各仕切壁９２に設けられた取付部９３と、カバー壁９０から側壁８１ａの反対側に向けて設けられた凸状の盤側挿入部（第２挿入部）９４と、カバー壁９０上に形成された例えば開口状の盤側被挿入部（被挿入部）９５とを有し、傾斜面８２ａから側壁８１ａに沿って後向きに突設された固定部９６に取付部９３を後側からねじ止めすることにより傾斜面８２ａに対して着脱自在に固定されている。
【００４０】
カバー壁９０は、中継基板８３ａ〜８３ｃから後向きに立ち上がる前カバー部９０ａと、この前カバー部９０ａの後縁側から側壁８１ａ側に延設される段部９０ｂと、この段部９０ｂの側壁８１ａ側縁部から後向きに立ち上がる後カバー部９０ｃとで構成されている。図１２に示すように、前カバー部９０ａは例えば中継基板８３ａ〜８３ｃ及び傾斜面８２ａに対して略垂直であり、後カバー部９０ｃは、前カバー部９０ａよりも側壁８１ａ側への倒れ込み角度が大きくなっている。
【００４１】
後カバー部９０ｃの後縁部と側壁８１ａとの間には所定の間隔が設けられている。また、カバー壁９０の上下両端側に設けられた端部壁９１は、その側壁８１ａ側の端縁が側壁８１ａに当接又は近接している。そして、それら後カバー部９０ｃの後縁部、端部壁９１の後縁部及び側壁８１ａで取り囲まれた略矩形状のケーブル引き出し口９７から、中継コネクタ７６ａ〜７６ｄに接続されたハーネス７７ａ〜７７ｄ（図１１参照）が後向きに引き出されるようになっている。これにより、ハーネス７７ａ〜７７ｄの盤側コネクタ７２ａ〜７２ｄ側へのはみ出しを防止できると共に、遊技盤６を支点位置Ｐ廻りに回動させながら遊技盤装着枠３０に着脱する際の枠側ジョイント部７５との干渉を回避できる。なお、段部９０ｂは、例えば中継コネクタ７６ａ〜７６ｄの後端部近傍に配置され、遊技盤６と略平行に設けられている。
【００４２】
取付部９３は、例えば遊技盤６に垂直な有底筒状に形成され、各仕切壁９２の側壁８１ａ側縁部に沿ってその前端側に一体に設けられている。また、側壁８１ａの近傍には、傾斜面８２ａから例えば遊技盤６に略垂直に突出する略円柱状の固定部９６が一体に設けられており、コネクタカバー８４は、それら各固定部９６に取付部９３をそれぞれ後側から套嵌させた状態で、ケーブル引き出し口９７を介して取付部９３を固定部９６にネジ９８により固定することにより、傾斜面８２ａに着脱自在に装着されている。これにより、中継基板８３ａ〜８３ｃの側壁８１ａ側は、傾斜面８２ａ側の基板取り付け部８６ａ〜８６ｃとコネクタカバー８４とで前後に挟持された状態で固定される。なお、各仕切壁９２は、ねじ止め用の空間確保のため、取付部９３の後端側からケーブル引き出し口９７までの間が切り欠かれている。
【００４３】
盤側挿入部９４は、カバー壁９０から盤側コネクタ７２ａ〜７２ｄ側に一体に突設された板状突出片で、例えば複数（ここでは３つ）の仕切壁９２のうちの少なくとも１つ、例えば上下方向中央の仕切壁９２に対応する位置に略水平に設けられている。盤側挿入部９４は、例えばカバー壁９０の前部側に設けられており、その後縁部９４ａは段部９０ｂよりも後側に突出して例えば遊技盤６と略平行に形成され、側縁部９４ｂは前カバー部９０ａよりも盤側コネクタ７２ａ〜７２ｄ側に突出して例えば中継基板８３ａ〜８３ｃ及び傾斜面８２ａに対して略垂直に形成されている。
【００４４】
盤側被挿入部９５は、カバー壁９０上に形成された開口部で、例えば盤側挿入部９４の上下両面に沿って段部９０ｂから前カバー部９０ａ側及び後カバー部９０ｃ側に延びる長孔状に形成されている。
【００４５】
枠側ジョイント部７５は、図１４等に示すように遊技盤装着枠３０の後側の後部ケース３１に一体に形成された取付台１０１の前側に配置されており、枠側コネクタ７４ａ〜７４ｄを備えた枠側コネクタユニット１０２を備えている。取付台１０１は、例えば後部ケース３１の右側下部に配置され、遊技盤６と略平行に形成され且つ枠側ジョイント部７５を裏側から覆う矩形状の後壁部１０１ａと、この後壁部１０１ａの上縁部及び左右の両縁部から前側に延設された上壁部１０１ｂ及び左右の側壁部１０１ｃ，１０１ｄとを備えており、右側壁部１０１ｄの前縁側が右周壁部５３に、左側壁部１０１ｃの前縁下端部が下周壁部５１にそれぞれ一体に連結されている。また、取付台１０１の下部側、即ち後壁部１０１ａの下縁部前側に配線用開口部１０３が形成されている。
【００４６】
なお、この取付台１０１は、図３〜図６等に示すように右周壁部５３の外面側から後壁部１０１ａの背面側を経て左側壁部１０１ｃに至る範囲に配置された板金製の補強板１０４によって後側から補強されている。また取付台１０１上には、図１４に示すように枠側コネクタユニット１０２を固定するための複数（ここでは４つ）の取付ボス１０５が、例えば後壁部１０１ａの前面側に略垂直に突設されている。
【００４７】
枠側コネクタユニット１０２は、図１４〜図１８等に示すように、枠側コネクタ７４ａ〜７４ｄと、それら枠側コネクタ７４ａ〜７４ｄを前後両側から挟み込んで保持する前カバー体１０６及び後ベース１０７とを備えている。枠側コネクタ７４ａ〜７４ｄは、コネクタ着脱方向（支点位置Ｐを中心とする円の略接線方向）に沿う前向きで且つその先端形状が横長の状態で上下方向に配列されている。各枠側コネクタ７４ａ〜７４ｄは、その後端側に左右両側に突出する横長状の装着部１０８を備えており、その装着部１０８の左右両端部に一対のピン孔１０９が形成されている。
【００４８】
後ベース１０７は、枠側コネクタ７４ａ〜７４ｄを後側から保持するもので、略矩形状のベース板１１１と、このベース板１１１の上縁部及び左右の側縁部から例えば後側に突設された上及び左右の周壁部１１２ａ〜１１２ｃと、ベース板１１１の下縁部の後側に配置された配線枠１１３と、前カバー体１０６と結合するための複数（ここでは４つ）の取付ボス１１４とを一体に備えている。
【００４９】
ベース板１１１上には、枠側コネクタ７４ａ〜７４ｄから後向きに突出する裏接続部１１５がそれぞれ遊嵌する後部装着孔１１６ａ〜１１６ｄが形成されると共に、前面側には、後部装着孔１１６ａ〜１１６ｄの左右両側に対応して、枠側コネクタ７４ａ〜７４ｄ側のピン孔１０９にそれぞれ挿通される支持ピン１１７が略垂直に突設されている。また、配線枠１１３は、図１７に示すように取付台１０１側の配線用開口部１０３に対応して例えば左右２つの配線孔１１３ａを形成している。また、取付ボス１１４は例えばベース板１１１に対して略垂直に形成されている。
【００５０】
前カバー体（第２部材）１０６は、枠側コネクタ７４ａ〜７４ｄを前側から保持するもので、略矩形状のカバー板１２１と、このカバー板１２１の外縁に沿って例えば後側に突設された上下左右の周壁部１２２ａ〜１２２ｄと、後ベース１０７側の取付ボス１１４に対応する複数（ここでは４つ）の後ベース用固定部１２３と、取付台１０１側の取付ボス１０５に対応する複数（ここでは４つ）のユニット取付用固定部１２４と、盤側ジョイント部７３側の盤側挿入部９４に対応する例えば凹入状の枠側被挿入部（第２被挿入部）１２５と、盤側ジョイント部７３側の盤側被挿入部９５に対応する凸状の枠側挿入部（挿入部）１２６とを一体に備えている。
【００５１】
カバー板１２１は、ベース板１１１と略平行に形成されており、枠側コネクタ７４ａ〜７４ｄの先端側がそれぞれ遊嵌する前部装着孔１２７ａ〜１２７ｄと、それら前部装着孔１２７ａ〜１２７ｄの左右両側に設けられ且つ後ベース１０７側の支持ピン１１７が後側から嵌合するピン嵌合部１２８とが設けられている。なお、カバー板１２１は、例えばベース板１１１よりも左右両側に突出している。
【００５２】
枠側コネクタ７４ａ〜７４ｄは、その左右のピン孔１０９にそれぞれ後ベース１０７側の支持ピン１１７を後側から挿通させた状態で、それら各支持ピン１１７の先端部をピン嵌合部１２８に後側から嵌合させるように前カバー体１０６を後ベース１０７に装着することによって枠側コネクタユニット１０２上に保持される。このとき、ピン孔１０９は支持ピン１１７よりも大径に形成されており、また上述したように枠側コネクタ７４ａ〜７４ｄは後ベース１０７側の後部装着孔１１６ａ〜１１６ｄと前カバー体１０６側の前部装着孔１２７ａ〜１２７ｄとにそれぞれ遊嵌しているため、枠側コネクタ７４ａ〜７４ｄは、それぞれ後ベース１０７側のベース板１１１と前カバー体１０６側のカバー板１２１との間で上下左右にそれぞれ一定範囲で個別に摺動可能である。
【００５３】
前カバー体１０６は、後ベース用固定部１２３を後ベース１０７側の取付ボス１１４にねじ止めすることにより後ベース１０７と結合され、またユニット取付用固定部１２４を取付台１０１側の取付ボス１０５にねじ止めすることにより後ベース１０７、枠側コネクタ７４ａ〜７４ｄと共に取付台１０１に固定される。ここで、後ベース用固定部１２３とユニット取付用固定部１２４とは平面視で異なる方向に設けられており、図１７に示すように、ユニット取付用固定部１２４を取付台１０１側の取付ボス１０５に対して前後方向、即ち遊技盤６に略垂直な方向に固定したとき、ベース板１１１及びカバー板１２１はコネクタ着脱方向に垂直な傾斜状となる。これにより、枠側コネクタ７４ａ〜７４ｄは、コネクタ着脱方向に沿って盤側コネクタ７２ａ〜７２ｄと対向するように前向きに支持される。そして、遊技盤６が遊技盤装着枠３０に装着されたとき、図４等に示すように盤側コネクタ７２ａ〜７２ｄがそれぞれ枠側コネクタ７４ａ〜７４ｄに接続されると共に、前カバー体１０６の左側縁部が、コネクタカバー８４の段部９０ｂに対して後側から近接又は当接するようになっている。
【００５４】
枠側被挿入部１２５は、遊技盤６が遊技盤装着枠３０に装着されたときに遊技盤６側の盤側挿入部９４が挿通するもので、例えば前カバー体１０６の左縁部に、遊技盤６側の盤側挿入部９４に対応して例えば右向き凹入状に形成されている。また枠側挿入部１２６は、遊技盤６が遊技盤装着枠３０に装着されたときに遊技盤６側の盤側被挿入部９５に挿通するもので、例えば枠側被挿入部１２５の縁部に沿って例えば正面視略Ｕ字状に形成され、コネクタ着脱方向の前側に向けて、即ちカバー板１２１の前面側に略垂直に突設されている。
【００５５】
上記構成のパチンコ機において、遊技盤６を遊技盤装着枠３０に装着する場合には、遊技盤６の左縁部を遊技盤装着枠３０の基準位置Ｏにおいて後壁部４３ｂと前係合部４３ｃとの間に挿入した後、遊技盤６の右縁部を後向きに押し込んでいく（図８）。これにより、遊技盤６は支点位置Ｐを中心に回動し、その最終段階で、盤側ジョイント部７３の盤側コネクタ７２ａ〜７２ｄが枠側ジョイント部７５の枠側コネクタ７４ａ〜７４ｄに対してそれぞれ前側から結合する（図４）。このとき、枠側コネクタ７４ａ〜７４ｄはコネクタ着脱方向に直交する面内で移動可能に保持されているため、盤側コネクタ７２ａ〜７２ｄが、直線方向ではなく支点位置Ｐを中心とする円の略接線方向に移動するにも拘わらず、無理なく結合させることができる。
【００５６】
また、図１９，図２０に示すように、遊技盤６が遊技盤装着枠３０に装着されたとき、盤側ジョイント部７３の盤側挿入部（第２挿入部）９４が枠側ジョイント部７５の枠側被挿入部（第２被挿入部）１２５に、また枠側ジョイント部７５の枠側挿入部（挿入部）１２６が盤側ジョイント部７３の盤側被挿入部（被挿入部）９５に、それぞれ挿入される。
【００５７】
ここで、例えば盤側被挿入部９５が設けられていない点を除いて遊技盤６と基本構成を共通にする別ブランドの遊技盤６′を、枠側挿入部１２６が設けられている前枠３に装着しようとした場合、図２１に示すように、盤側コネクタ７２ａ〜７２ｄが枠側コネクタ７４ａ〜７４ｄに完全に結合する直前に、枠側ジョイント部７５の枠側挿入部１２６が遊技盤６′側のコネクタカバー８４上の段部９０ｂと干渉するため、遊技盤６′を前枠３に完全に装着することはできない。
【００５８】
また、例えば枠側被挿入部１２５が設けられていない点を除いて前枠３と基本構成を共通にする別ブランドの前枠３′に、盤側挿入部９４が設けられている遊技盤６を装着しようとした場合、図２２に示すように、盤側コネクタ７２ａ〜７２ｄが枠側コネクタ７４ａ〜７４ｄに完全に結合する直前に、盤側ジョイント部７３の盤側挿入部９４が前枠３′側の前カバー体１０６と干渉するため、遊技盤６を前枠３′に完全に装着することはできない。
【００５９】
なお、盤側挿入部９４と盤側被挿入部９５とが共に設けられていない遊技盤６′は、枠側被挿入部１２５と枠側挿入部１２６とが共に設けられていない前枠３′に対しては、図２３に示すように問題なく装着することができ、盤側コネクタ７２ａ〜７２ｄは枠側コネクタ７４ａ〜７４ｄに完全に接続される。
【００６０】
以上説明したように、本実施形態のパチンコ機では、前枠３上における枠側コネクタ７４ａ〜７４ｄの近傍に凸状の枠側挿入部（挿入部）１２６を設け、遊技盤６上における盤側コネクタ７２ａ〜７２ｄの近傍に枠側挿入部１２６に対応する盤側被挿入部（被挿入部）９５を設け、盤側被挿入部９５がなければ枠側挿入部１２６の干渉により遊技盤６を前枠３に装着できないように構成しているため、基本的構成を共通としつつ、その前枠３に、盤側被挿入部９５のない例えば別ブランドの遊技盤を取り付けて使用することを禁止できる。
【００６１】
また更に遊技盤６上に凸状の盤側挿入部（第２挿入部）９４を設け、前枠３上に盤側挿入部９４に対応する枠側被挿入部（第２被挿入部）１２５を設け、枠側被挿入部１２５がなければ盤側挿入部９４の干渉により遊技盤６を前枠３に装着できないように構成しているため、基本的構成を共通としつつ、その遊技盤６を、枠側被挿入部１２５のない例えば別ブランドの前枠に取り付けて使用することを禁止できる。
【００６２】
以上、本発明の実施形態について詳述したが、本発明はこの実施形態に限定されるものではなく、本発明の趣旨を逸脱しない範囲で種々の変更が可能である。例えば実施形態では、前枠３側に枠側挿入部１２６と枠側被挿入部１２５とを、遊技盤６側に盤側被挿入部９５と盤側挿入部９４とをそれぞれ設けた例を示したが、前枠３側に枠側挿入部１２６と枠側被挿入部１２５との何れか一方を、遊技盤６側に盤側被挿入部９５と盤側挿入部９４との何れか一方を設けてもよい。
【００６３】
但しこの場合、例えば異なるブランド間で互いに結合可能な前枠と遊技盤との組み合わせが存在してしまうという問題がある。例えば前枠３側に枠側被挿入部１２５を、遊技盤６側に盤側挿入部９４をそれぞれ設けた場合、その前枠３に対して、盤側挿入部９４を設けない他ブランドの遊技盤を装着可能である。
【００６４】
挿入部とこれに対応する被挿入部、第２挿入部とこれに対応する第２被挿入部は、それらの少なくとも一方を複数組設けてもよい。この場合、それら複数組のうちの少なくとも一組を他と異なる形状に形成してもよい。また、挿入部とこれに対応する被挿入部を、第２挿入部とこれに対応する第２被挿入部から離れた位置に設けてもよい。また、被挿入部と第２挿入部とを異なる部材上に設けてもよい。同様に、挿入部と第２被挿入部とを異なる部材上に設けてもよい。
【００６５】
被挿入部、第２被挿入部は、凸状の挿入部、第２挿入部を挿入可能であればよく、開口状の他、凹状、切欠状等に形成してもよい。
【００６６】
また本発明は、パチンコ機に限らず、アレンジボール機、雀球遊技機等の各種弾球遊技機において同様に実施することが可能である。
【符号の説明】
【００６７】
３  前枠
６  遊技盤
７２ａ〜７２ｄ  盤側コネクタ
７４ａ〜７４ｄ  枠側コネクタ
８４  コネクタカバー（第１部材）
９４  盤側挿入部（第２挿入部）
９５  盤側被挿入部（被挿入部）
１０６  前カバー体（第２部材）
１２５  枠側被挿入部（第２被挿入部）
１２６  枠側挿入部（挿入部）
【図１】
2015000143.tif 000003
【図２】
2015000143.tif 000004
【図３】
2015000143.tif 000005
【図４】
2015000143.tif 000006
【図５】
2015000143.tif 000007
【図６】
2015000143.tif 000008
【図７】
2015000143.tif 000009
【図８】
2015000143.tif 000010
【図９】
2015000143.tif 000011
【図１０】
2015000143.tif 000012
【図１１】
2015000143.tif 000013
【図１２】
2015000143.tif 000014
【図１３】
2015000143.tif 000015
【図１４】
2015000143.tif 000016
【図１５】
2015000143.tif 000017
【図１６】
2015000143.tif 000018
【図１７】
2015000143.tif 000019
【図１８】
2015000143.tif 000020
【図１９】
2015000143.tif 000021
【図２０】
2015000143.tif 000022
【図２１】
2015000143.tif 000023
【図２２】
2015000143.tif 000024
【図２３】
2015000143.tif 000025